(57)【要約】通信局（１）と、情報データブロック（ＩＤＢ）及び利用データ（ＵＤ＝Ｎ（ＵＤＢ））を有する少なくとも１つのデータキャリア（２（ＤＣ））との間で通信する方法において、順次の手続ランを伴う登録手続が実行される。該登録手続の実施においては、識別データブロック（ＩＤＢ）のうちの通信局（１）において未だ知られていないブロック領域（ＮＫＰ−ＩＤＢ）の少なくとも一部及び、それに加えて、特定の利用データ（ｎ（ＵＤＢ））が、当該登録手続の終了後に各データキャリア（２（ＤＣ））の識別データブロック（ＩＤＢ）の少なくとも一部と関連する特定の利用データ（ｎ（ＵＤＢ））とが通信局（１）において分かるように、各データキャリア（２（ＤＣ））から通信局（１）へ送信される。
2004519933.tif 000002
【特許請求の範囲】
【請求項１】
通信局と少なくとも１つのデータキャリアとの間で通信する方法において、前記データキャリアは該担体に特徴的な識別データブロックと利用データとを有し、前記方法により登録手続が実行され、該登録手続は順次の手続ランからなることができると共に少なくとも１つの手続ランからなり、前記登録手続により該手続の終了後に前記少なくとも１つのデータキャリアの前記識別データブロックの少なくとも一部が前記通信局において分かり、前記方法により前記少なくとも１つのデータキャリアから前記通信局に対し特定の利用データの送信が、前記登録手続の実施の間において前記識別データブロックのうちの前記通信局において未だ分かっていないブロック領域の少なくとも一部と、更に前記特定の利用データとが前記少なくとも１つのデータキャリアから前記通信局へ送信されるように実行されることを特徴とする方法。
【請求項２】
請求項１に記載の方法において、前記登録手続の実施の間において、前記識別データブロックのうちの前記通信局において未だ分かっていないブロック領域の全体と、更に前記特定の利用データとが前記少なくとも１つのデータキャリアから前記通信局へ送信されることを特徴とする方法。
【請求項３】
請求項２に記載の方法において、前記登録手続の実施の間において、前記識別データブロックの全体と、更に前記特定の利用データとが前記少なくとも１つのデータキャリアから前記通信局へ送信されることを特徴とする方法。
【請求項４】
請求項１に記載の方法において、前記特定の利用データが前記識別データブロックのうちの前記ブロック領域より時間的に後に送信されることを特徴とする方法。
【請求項５】
請求項１に記載の方法において、前記特定の利用データが、前記識別データブロックのうちの前記ブロック領域の直後に送信されることを特徴とする方法。
【請求項６】
請求項１に記載の方法において、データキャリアの前記識別データブロックのうちの前記通信局において未だ分かっていない前記ブロック領域の長さが、実行される前記手続ランの数の関数であり、この長さが、実行される前記手続ランの数が増加するにつれて小さくなることを特徴とする方法。
【請求項７】
少なくとも１つのデータキャリアと通信する通信局において、前記データキャリアは該担体に特徴的な識別データブロックと利用データとを有し、前記通信局は登録手続を実行する登録手段を有し、該登録手段は登録手続において順次の手続ランを実行するように構成され、前記登録手段においては登録手続の終了後に前記少なくとも１つのデータキャリアの前記識別データブロックの少なくとも一部が分かり、前記通信局は、前記少なくとも１つのデータキャリアに含まれると共に前記通信局に送信され且つ該通信局において受信された特定の利用データを処理する処理手段を有し、前記通信局は、登録手続の実施の間において前記少なくとも１つのデータキャリアの前記識別データブロックのうちの前記通信局において未だ分かっていないブロック領域の少なくとも一部と、更に前記少なくとも１つのデータキャリアの特定の利用データとを処理するように構成されていることを特徴とする通信局。
【請求項８】
請求項７に記載の通信局において、前記通信局は、登録手続の実施の間において、前記少なくとも１つのデータキャリアにおける前記識別データブロックのうちの前記通信局において未だ分かっていないブロック領域の全体と、更に前記少なくとも１つのデータキャリアの前記特定の利用データとを処理するように構成されていることを特徴とする通信局。
【請求項９】
請求項８に記載の通信局において、前記通信局は、登録手続の実施の間において、前記少なくとも１つのデータキャリアにおける前記識別データブロックの全体と、更に前記少なくとも１つのデータキャリアの前記特定の利用データとを処理するように構成されていることを特徴とする通信局。
【請求項１０】
請求項７に記載の通信局において、前記通信局は、前記少なくとも１つのデータキャリアにおける前記識別データブロックの前記ブロック領域を先ず処理し、その後、前記少なくとも１つのデータキャリアの前記特定の利用データを処理するように構成されていることを特徴とする通信局。
【請求項１１】
少なくとも１つのデータキャリアと通信する通信局用の局回路において、前記データキャリアは該担体に特徴的な識別データブロックと利用データとを有し、前記局回路は登録手続を実行する登録手段を有し、該登録手段は登録手続において順次の手続ランを実行するように構成され、前記登録手段においては登録手続の終了後に前記少なくとも１つのデータキャリアにおける前記識別データブロックの少なくとも一部が分かり、前記局回路は、前記少なくとも１つのデータキャリアに含まれると共に前記局回路に送信され且つ該局回路において受信された特定の利用データを処理する処理手段を有し、前記局回路は、登録手続の実行の間において前記少なくとも１つのデータキャリアにおける前記識別データブロックのうちの前記通信局において未だ分かっていないブロック領域の少なくとも一部と、更に前記少なくとも１つのデータキャリアの特定の利用データとを処理するように構成されていることを特徴とする局回路。
【請求項１２】
請求項１１に記載の局回路において、前記局回路は、登録手続の実施の間において、前記少なくとも１つのデータキャリアにおける前記識別データブロックのうちの前記局回路において未だ分かっていないブロック領域の全体と、更に前記少なくとも１つのデータキャリアの前記特定の利用データとを処理するように構成されていることを特徴とする局回路。
【請求項１３】
請求項１２に記載の局回路において、前記局回路は、登録手続の実施の間において、前記少なくとも１つのデータキャリアにおける前記識別データブロックの全体と、更に前記少なくとも１つのデータキャリアの前記特定の利用データとを処理するように構成されていることを特徴とする局回路。
【請求項１４】
請求項１１に記載の局回路において、前記局回路は、前記少なくとも１つのデータキャリアにおける前記識別データブロックの前記ブロック領域を先ず処理し、その後、前記少なくとも１つのデータキャリアの前記特定の利用データを処理するように構成されていることを特徴とする局回路。
【請求項１５】
通信局と通信するデータキャリアにおいて、前記データキャリアには該担体に特徴的な識別データブロックと利用データとを記憶することができ、前記データキャリアは登録手続を実行するように構成され、該登録手続は順次の手続ランからなることができると共に少なくとも１つの手続ランからなり、前記登録手続により該手続の終了後には、記憶後に前記データキャリアに含まれる該データキャリアの前記識別データブロックの少なくとも一部が前記通信局において分かり、前記データキャリアは、記憶後に該データキャリアに含まれる特定の利用データを前記通信局に出力する出力手段を有し、前記データキャリアは、記憶後に前記データキャリアに含まれる該データキャリアの前記識別データブロックのうちの前記通信局において未だ分かっていないブロック領域の少なくとも一部と、更に、記憶後に前記データキャリアに含まれる該データキャリアの特定の利用データとを出力するように構成されていることを特徴とするデータキャリア。
【請求項１６】
請求項１５に記載のデータキャリアにおいて、前記データキャリアは、前記登録手続の実施の間において、記憶後に前記データキャリアに含まれる該データキャリアの前記識別データブロックのうちの前記通信局において未だ分かっていないブロック領域の全体と、更に、記憶後に前記データキャリアに含まれる該データキャリアの特定の利用データとを出力するように構成されていることを特徴とするデータキャリア。
【請求項１７】
請求項１６に記載のデータキャリアにおいて、前記データキャリアは、前記登録手続の実施の間において、記憶後に前記データキャリアに含まれる該データキャリアの前記識別データブロックの全体と、更に、記憶後に前記データキャリアに含まれる該データキャリアの特定の利用データとを出力するように構成されていることを特徴とするデータキャリア。
【請求項１８】
請求項１５に記載のデータキャリアにおいて、前記データキャリアは、記憶後に前記データキャリアに含まれる該データキャリアの前記識別データブロックのうちの前記ブロック領域を先ず出力し、その後、記憶後に前記データキャリアに含まれる該データキャリアの特定の利用データを出力するように構成されていることを特徴とするデータキャリア。
【請求項１９】
通信局と通信するデータキャリア用のデータキャリア回路において、前記データキャリア回路には該データキャリア回路に特徴的な識別データブロックと利用データとを記憶することができ、前記データキャリア回路は登録手続を実行するように構成され、該登録手続は順次の手続ランからなることができると共に少なくとも１つの手続ランからなり、前記登録手続により該手続の終了後には、記憶後に前記データキャリア回路に含まれる該データキャリア回路の前記識別データブロックの少なくとも一部が前記通信局において分かり、前記データキャリア回路は、記憶後に該データキャリア回路に含まれる特定の利用データを前記通信局に出力する出力手段を有し、前記データキャリア回路は、記憶後に前記データキャリア回路に含まれる該データキャリア回路の前記識別データブロックのうちの前記通信局において未だ分かっていないブロック領域の少なくとも一部と、更に、記憶後に前記データキャリア回路に含まれる該データキャリア回路の特定の利用データとを出力するように構成されていることを特徴とするデータキャリア回路。
【請求項２０】
請求項１９に記載のデータキャリア回路において、前記データキャリア回路は、前記登録手続の実施の間において、記憶後に前記データキャリア回路に含まれる該データキャリア回路の前記識別データブロックのうちの前記通信局において未だ分かっていないブロック領域の全体と、更に、記憶後に前記データキャリア回路に含まれる該データキャリア回路の特定の利用データとを出力するように構成されていることを特徴とするデータキャリア回路。
【請求項２１】
請求項２０に記載のデータキャリア回路において、前記データキャリア回路は、前記登録手続の実施の間において、記憶後に前記データキャリア回路に含まれる該データキャリア回路の前記識別データブロックの全体と、更に、記憶後に前記データキャリア回路に含まれる該データキャリア回路の特定の利用データとを出力するように構成されていることを特徴とするデータキャリア回路。
【請求項２２】
請求項１９に記載のデータキャリア回路において、前記データキャリア回路は、記憶後に前記データキャリア回路に含まれる該データキャリア回路の前記識別データブロックのうちの前記ブロック領域を先ず出力し、その後、記憶後に前記データキャリア回路に含まれる該データキャリア回路の前記特定の利用データを出力するように構成されていることを特徴とするデータキャリア回路。
【発明の詳細な説明】
【０００１】
【発明の属する技術分野】
本発明は、通信局と少なくとも１つのデータキャリアとの間で通信する方法に関すると共に、斯様な方法を実施するのに適した通信局、局回路、データキャリア及びデータキャリア回路にも関する。ここで述べる方法に関する重要な事実は、順次の手続実行からなり得るものであって、少なくとも１つの斯様な手順実行からなり、且つ、終了の後に当該通信局の通信範囲内に存するデータキャリアの斯かるデータキャリアに記憶された識別データブロックの少なくとも一部が上記通信局において分かるような登録手続（ｉｎｖｅｎｔｏｒｉｚａｔｉｏｎ ｐｒｏｃｅｄｕｒｅ）が実行され、当該通信局に対する特定の利用データ（ｕｓｅｆｕｌ ｄａｔａ）の送信が斯様なデータキャリアにより実行される点にある。
【０００２】
【従来の技術】
上述したような処理ステップを有する方法は、ＩＳＯ／ＩＥＣ１５６９３−３規格に記載されており、従って既知である。この既知の方法の変形例においては、最初のステップは登録手続を実行することであり、該登録手続は、通常、複数の手続ラン（ｐｒｏｃｅｄｕｒｅ ｒｕｎ）からなり、上記登録手続においては、当該通信局の通信範囲内にある全てのデータキャリアについて斯かるデータキャリアに記憶された識別データブロック（一連番号とも呼ばれる）が上記通信局において分かり、これにより該通信局に記憶されるまで、余りに多くの手順ランが実行される。その後、当該通信局によっては、該既知の方法の更なる追加の部分の間に尋問コマンドが、各々の登録された（ｉｎｖｅｎｔｏｒｉｚｅｄ）、即ち識別されたデータキャリアに通知される。該コマンドの結果として、関連するデータキャリアに記憶され、従って含まれ、且つ、この場合には上記尋問コマンドにより決まるような利用データ（該利用データは特定の数の利用データブロックである）が上記通信局に送信される。従って、当該通信局により所望及び／又は必要とされる特定の利用データ、即ち所望の有用な情報、の実際の送信は該既知の方法においては上記登録手続の後に実行される。これには、当該方法の全体としての継続時間が比較的長い、即ち該方法は複数のデータキャリアに記憶された有用な情報が通信局において許容可能且つ誤りのない形で利用可能になるまでに比較的長い時間が掛かるという一般的な不利益を伴う。
【０００３】
【発明が解決しようとする課題】
本発明の目的は、上述した問題を除去すると共に、改善された方法、改善された通信局、改善された局回路、改善されたデータキャリア及び改善されたデータキャリア回路を実施化することにある。
【０００４】
【課題を解決するための手段】
上述した目的を達成するため、本発明による特徴的機能は、本発明による方法の場合、本発明による方法を下記のように特徴付けることができるようにして提供される：
通信局と少なくとも１つのデータキャリアとの間で通信する方法において、前記データキャリアは該担体に特徴的な識別データブロックと利用データとを有し、前記方法により登録手続が実行され、該登録手続は順次の手続ランからなることができると共に少なくとも１つの手続ランからなり、前記登録手続により該手続の終了後に前記少なくとも１つのデータキャリアの前記識別データブロックの少なくとも一部が前記通信局において分かり、前記方法により前記少なくとも１つのデータキャリアから前記通信局に対し特定の利用データの送信が、前記登録手続の実施の間において前記識別データブロックのうちの前記通信局において未だ分かっていないブロック領域の少なくとも一部と、更に前記特定の利用データとが前記少なくとも１つのデータキャリアから前記通信局へ送信されるように実行されることを特徴とする方法。
【０００５】
前述した目的を達成するため、本発明による特徴的機能は、本発明による通信局の場合、本発明による通信局を下記のように特徴付けることができるようにして提供される：
少なくとも１つのデータキャリアと通信する通信局において、前記データキャリアは該担体に特徴的な識別データブロックと利用データとを有し、前記通信局は登録手続を実行する登録手段を有し、該登録手段は登録手続において順次の手続ランを実行するように構成され、前記登録手段においては登録手続の終了後に前記少なくとも１つのデータキャリアの前記識別データブロックの少なくとも一部が分かり、前記通信局は、前記少なくとも１つのデータキャリアに含まれると共に前記通信局に送信され且つ該通信局において受信された特定の利用データを処理する処理手段を有し、前記通信局は、登録手続の実施の間において前記少なくとも１つのデータキャリアの前記識別データブロックのうちの前記通信局において未だ分かっていないブロック領域の少なくとも一部と、更に前記少なくとも１つのデータキャリアの特定の利用データとを処理するように構成されていることを特徴とする通信局。
【０００６】
前述した目的を達成するため、本発明による特徴的機能は、本発明による局回路の場合、本発明による局回路を下記のように特徴付けることができるようにして提供される：
少なくとも１つのデータキャリアと通信する通信局用の局回路において、前記データキャリアは該担体に特徴的な識別データブロックと利用データとを有し、前記局回路は登録手続を実行する登録手段を有し、該登録手段は登録手続において順次の手続ランを実行するように構成され、前記登録手段においては登録手続の終了後に前記少なくとも１つのデータキャリアにおける前記識別データブロックの少なくとも一部が分かり、前記局回路は、前記少なくとも１つのデータキャリアに含まれると共に前記局回路に送信され且つ該局回路において受信された特定の利用データを処理する処理手段を有し、前記局回路は、登録手続の実行の間において前記少なくとも１つのデータキャリアにおける前記識別データブロックのうちの前記通信局において未だ分かっていないブロック領域の少なくとも一部と、更に前記少なくとも１つのデータキャリアの特定の利用データとを処理するように構成されていることを特徴とする局回路。
【０００７】
前述した目的を達成するため、本発明による特徴的機能は、本発明によるデータキャリアの場合、本発明によるデータキャリアを下記のように特徴付けることができるようにして提供される：
通信局と通信するデータキャリアにおいて、前記データキャリアには該担体に特徴的な識別データブロックと利用データとを記憶することができ、前記データキャリアは登録手続を実行するように構成され、該登録手続は順次の手続ランからなることができると共に少なくとも１つの手続ランからなり、前記登録手続により該手続の終了後には、記憶後に前記データキャリアに含まれる該データキャリアの前記識別データブロックの少なくとも一部が前記通信局において分かり、前記データキャリアは、記憶後に該データキャリアに含まれる特定の利用データを前記通信局に出力する出力手段を有し、前記データキャリアは、記憶後に前記データキャリアに含まれる該データキャリアの前記識別データブロックのうちの前記通信局において未だ分かっていないブロック領域の少なくとも一部と、更に、記憶後に前記データキャリアに含まれる該データキャリアの特定の利用データとを前記登録手続の実行の間において出力するように構成されていることを特徴とするデータキャリア。
【０００８】
前述した目的を達成するため、本発明による特徴的機能は、本発明によるデータキャリア回路の場合、本発明によるデータキャリア回路を下記のように特徴付けることができるようにして提供される：
通信局と通信するデータキャリア用のデータキャリア回路において、前記データキャリア回路には該データキャリア回路に特徴的な識別データブロックと利用データとを記憶することができ、前記データキャリア回路は登録手続を実行するように構成され、該登録手続は順次の手続ランからなることができると共に少なくとも１つの手続ランからなり、前記登録手続により該手続の終了後には、記憶後に前記データキャリア回路に含まれる該データキャリア回路の前記識別データブロックの少なくとも一部が前記通信局において分かり、前記データキャリア回路は、記憶後に該データキャリア回路に含まれる特定の利用データを前記通信局に出力する出力手段を有し、前記データキャリア回路は、記憶後に前記データキャリア回路に含まれる該データキャリア回路の前記識別データブロックのうちの前記通信局において未だ分かっていないブロック領域の少なくとも一部と、更に、記憶後に前記データキャリア回路に含まれる該データキャリア回路の特定の利用データとを前記登録手続の実行の間において出力するように構成されていることを特徴とするデータキャリア回路。
【０００９】
改善された方法、改善された通信局、改善された局回路、改善されたデータキャリア及び改善されたデータキャリア回路が、本発明による特徴的構成を設けることにより、非常に簡素であり且つ配線論理回路及びプログラマブル回路の両方により実施化し得る態様で得ることができる。非常に重要な改善点は、本発明による方法が既知の方法の方法実施時間より大幅に短い方法実施時間を有している点にある。これは、通信局と複数の又は多数のデータキャリアとの間での可能な限り短い通信時間を達成するために非常に有利である。何故なら、この構成は、複数のデータキャリアからの有用な情報が、短い通信時間の場合においてさえも通信局において分かるようになり、従って該通信局において処理し及び評価することが可能になることを保証するからである。
【００１０】
本発明による方法、通信局、局回路、データキャリア及びデータキャリア回路の場合、更に、請求項２、請求項８、請求項１２、請求項１６又は請求項２０の特徴的構成が設けられると特に有利であることが分かった。これは、一方における可能な限り短い通信時間と、他方における高い登録精度又は識別精度との間の良好な妥協を達成するのに有利である。
【００１１】
しかしながら、本発明による方法、通信局、局回路、データキャリア及びデータキャリア回路の場合、更に、請求項３、請求項９、請求項１３、請求項１７又は請求項２１の特徴的構成が設けられると特に有利であることが分かった。斯様な構成は、短い通信時間と、可能な限り簡単に実現及び／又はプログラムすることが可能な構成との間の良好な妥協を形成する。
【００１２】
更に、本発明による方法、通信局、局回路、データキャリア及びデータキャリア回路の場合、更に、請求項４、請求項１０、請求項１４、請求項１８又は請求項２２の特徴的構成が設けられると非常に有利であることが分かった。斯様な解決策は、該解決策においては単純な論理構成で充分であり、特に高い識別精度が保証される故に有利である。しかしながら、この点では、前記特定の利用データが、前記識別データブロックからのデータよりも前にデータキャリアから通信局へ送信されるようにすることもできると言える。
【００１３】
上記特定の利用データが識別データブロックからのデータの後に送信されるような解決策においては、識別データブロックからのデータの送信と特定の利用データの送信との間に時間間隔が存在し得る。これは、幾つかの応用例では、例えば識別データブロックからのデータのチェックの後に、又は少なくとも２つのデータキャリアから通信局へのデータ送信に関して所謂衝突が発生した後に、企図する後続の特定利用データの送信が慎重に抑圧されねばならないような場合に、有利であり得る。しかしながら、上記特定の利用データが上記識別データブロックからのデータの直後に送信される場合に特に有利であることが分かった。何故なら、このようにして可能な限り短い通信時間が得られるからである。
【００１４】
更に、本発明による方法の場合には、請求項６による特徴的構成が付加的に設けられる場合に非常に有利であることが分かった。この解決策は、登録手続において手続ランを処理するために要する時間が益々短くなるという利点を提供する。何故なら、各データキャリアの識別データブロックのうちの通信局において未だ分かっていないブロック領域の長さは、完了した手続ランの数が増加するにつれて一層短くなるからである。
【００１５】
本発明の、これら及び他の態様は実施例の下記説明において明確にされ、該実施例を参照して説明されるであろう。
【００１６】
【発明の実施の形態】
以下、本発明を図面に示す実施例を参照して詳細に説明するが、本発明はこれに限定されるものではない。
【００１７】
通信局１が図１に図示されている。該通信局１は、少なくとも１つのデータキャリア２と通信するために設けられ及び構成されている。斯様なデータキャリア２が図２に示され、後に更に詳細に説明されるであろう。既に述べたように、データキャリア２は、このデータキャリア２に特徴的な識別データブロックＩＤＢと、利用データ（ｕｓｅｆｕｌ ｄａｔａ）ＵＤとを含み、これらの利用データＵＤは当該データキャリア２内にＮ個の利用データブロックＵＤＢの形で含まれている。
【００１８】
通信局１は局回路３を有し、該回路は本例ではマイクロコンピュータにより形成されているが、他の例として配線された論理回路により形成することもできる。局回路３はクロック信号ＣＬＫを発生することが可能なクロック信号発生器４を有している。局回路３は更に登録（ｉｎｖｅｎｔｏｒｉｚａｔｉｏｎ）手段５を有し、該手段は登録手続を実行するために設けられ、且つ、構成されている。この場合、登録手段５は一つの登録手続内の順次の手続ランを実行するように構成されている。斯様な登録手続の終了後、各データキャリア２の識別データブロックＩＤＢの少なくとも一部は登録手段５において分かるようになるが、図１及び２を参照してここで述べる場合には、当該構成は、上記登録手続が終了した後に各データキャリア２の全識別データブロックが、特に当該登録手続において通信局１と通信接続状態にあった各データキャリア２によって、登録手段５において分かると共に該登録手段５内に記憶されるようなものである。
【００１９】
登録手段５はリクエスト発生手段６を有し、該リクエスト発生手段はリクエストデータブロックＲＤＢｎ及びタイムスロットマークＴＳＭを発生するように構成されている。該リクエスト発生手段６には、タイムスロットカウンタ７とマスク発生手段２４とが含まれている。更に、登録手段５は“衝突”を検出することができるような衝突検出手段８を有し、斯様な衝突は、互いから固有に識別することができないようなデータが通信局１において少なくとも２つのデータキャリア２から同時に受信されることを意味すると理解される。衝突検出手段８は、該衝突検出手段が衝突を検出しないと、データキャリア２の当該通信局１により未だ分かっていないブロック領域ＮＫＰ−ＩＤＢを登録手段５の識別データブロック再生手段９に中継し、特定の利用データｎｘＵＤＢを登録手段５の利用データ処理手段１０に中継するように構成されている。衝突検出手段８は、衝突を検出すると、識別データブロック再生手段９及び利用データ処理手段１０への斯かる中継を抑圧する。
【００２０】
識別データブロック再生手段９は、当該通信局１と無衝突通信接続状態にあった各データキャリア２の１つの完全な識別データブロックをその都度発生するために設けられ且つそのように構成されている。この目的のため、一方においては該識別データブロック再生手段９には各データキャリア２の識別データブロックＩＤＢのうちの該通信局１により未だ分かっていない上記ブロック領域ＮＫＰ−ＩＤＢが供給され、他方においては該識別データブロック再生手段９には、特にリクエスト再生手段６から各データキャリア２の識別データブロックＩＤＢのうちの当該通信局において既に分かっているブロック領域ＫＰ−ＩＤＢが付加的に供給される。この場合、上記リクエスト再生手段６においては、各データキャリア２の識別データブロックＩＤＢのうちの当該通信局１において既に分かっているブロック領域ＫＰ−ＩＤＢが分かる。
【００２１】
登録手段５は合成手段１１を更に有し、該合成手段には識別データブロック再生手段９により発生される各データキャリア２の全識別データブロックＩＤＢと、各データキャリア２から通信局１に送信された各データキャリア２の特定のデータｎｘＵＤＢとの両方を供給することができる。供給されたデータは該合成手段１１において処理され、関連の識別データブロックＩＤＢ及び特定の利用データｎｘＵＤＢの両者は、特に互いに固有に同調された形で当該通信局１と通信接続状態にあった各データキャリア２に関して記憶される。合成手段１１に含まれるデータは、該合成手段１１により例えば所謂ホストコンピュータとのデータ接続１２を介して供給することができる。
【００２２】
局回路３は更に符号化手段１３と復号手段１４とを含み、これら手段にはクロック信号ＣＬＫを供給することができる。符号化手段１３は、該符号化手段１３に符号化されていない形で供給されるデータ又は信号を符号化するために、即ち、この場合には登録手段５のリクエスト発生手段６により出力されるリクエストデータブロックＲＤＢｎ及びタイムスロットマークＴＳＭを符号化するために設けられ、且つ、そのように構成されている。復号手段１４は、該手段に符号化された形で供給されるデータ及び信号を復号するために設けられ、且つ、そのように構成されている。該復号手段１４により出力される復号されたデータ、例えば識別データブロックＩＤＢ又は当該通信局１において未だ分かっていない識別データブロックＩＤＢのブロック領域ＮＫＰ−ＩＤＢ又は特定の利用データｎｘＵＤＢは、登録手段５の衝突検出手段８に供給することができる。
【００２３】
通信局１は更に変調器１５を含み、該変調器は一方においては符号化手段１３に接続され、他方においてはキャリア信号発生器１６に接続されている。上記キャリア信号発生器１６にはクロック信号ＣＬＫが供給され、該キャリア信号発生器１６は、変調器１５に供給されるキャリア信号ＣＳをクロック信号ＣＬＫに基づいて発生する。キャリア信号ＣＳの振幅変調は、変調器１５により、符号化手段１３から符号化形態で出力されるデータの関数として実行することができる。変調器１５には当該通信局１の第１増幅器段１７が接続されており、該増幅器段により増幅された変調信号を発生することができる一方、該信号は整合手段１８に供給される。該整合手段１８は、該手段に供給される上記変調信号が局伝送手段１９に中継されることを保証する。局伝送手段１９は、伝送コイルＴＣ及びその他の電気部品（図示略）を有している。局伝送手段１９及び該手段の局伝送コイルＴＣに供給された変調信号は、これらにより、当該通信局１の通信範囲内に存在するデータキャリア２に送信することができる。この送信は、ここで述べる場合は誘導的な形で実行される。この送信は、他の例として、容量的又は無線周波数方法によっても実行することができることに注意すべきである。
【００２４】
局回路３は集積回路として設計されている。この場合、該回路は更に構成要素１５、１６、１７、２０、２１、２２及び２３を有することもできる。
【００２５】
局伝送手段１９は、当該通信局１からデータキャリア２へ信号を送信するためのみならず、データキャリア２から該通信局１への伝送を実行するためにも設けられている。この場合、局伝送手段１９により受信される信号（この場合は負荷変調された信号）は、整合手段１８を介して当該通信局１に設けられた入力フィルタ段２０に供給される。該入力フィルタ段２０は不所望な信号成分をフィルタ除去するために設けられている。入力フィルタ段２０には復調器２１が接続され、該復調器により、データキャリアにおいて負荷変調により発生されると共に該通信局１へ送信された信号を復調することができる。該復調回路２１には他のフィルタ段２２が接続され、復調された信号のフィルタ処理を保証する。該他のフィルタ段２２には当該通信局１の第２増幅器段２３が接続され、該増幅器段は復調され且つフィルタ処理された信号の増幅を保証する。当該局回路３の前記復号手段１４が、第２増幅器段２３に接続されている。
【００２６】
図２に示すデータキャリア２を詳細に考察する前に、先ず、リクエストデータブロックＲＤＢｎの構成を特に図４を参照して詳細に考察する。図４から分かるように、各リクエストデータブロックＲＤＢｎは、リクエストコマンドと、ビットでのマスク長に関する情報項目（マスクサイズ）及びマスクの内容又は値に関する情報項目（マスク値）からなるマスクと、利用データ開始ブロックに関する情報項目及び利用データブロックの数ｎに関する情報項目（ブロックの数ｎ）からなる利用データドレス情報項目ＵＤ−ＡＤＲとからなっている。
【００２７】
更に、各データキャリア２の識別データブロックＩＤＢの構造を、図５を参照して準備として説明する。図５から分かるように、識別データブロックＩＤＢは全てで６４ビットからなり、これらビットは各々が４ビットの１６の群に配列され、最初の４ビットは最下位ビットＬＳＢの領域に位置する。この場合、最初の４ビットには２番目の４ビットが後続し、その後、３番目の４ビットが後続し、のようになる。図５は、更に、最初の４ビット及び２番目の４ビットの例を示し、ここで、最初の４ビットは“０００１”であり、２番目の４ビットは“１０００”である。
【００２８】
更なる準備として、マスクの一例を、図６を参照して説明する。識別データブロックＩＤＢの最下位部分が図６に示され、ここで、８個の最下位ビットがマスクに相当し、該マスクは８ビットのマスク長（マスクサイズ）及び“３２”なるマスク値（該マスク値は１６進形態又は表記で指定されている）を有している。
【００２９】
図６を参照して、ここで通信局１及び各データキャリア２に対して有効な通信プロトコルにおいては、通信局１とデータキャリア２との間の通信が合計で１６のタイムスロットＴ内の登録手続の各手続ランの過程において実行され、通信局１と通信接続状態にならなければならない当該タイムスロットＴの番号は、その都度、各データキャリア２の識別データブロックＩＤＢのマスクのサイズにより決められるビットの前に来る４ビットにより決まるとされていることに注意すべきである。図６に示す例においては、識別データブロックＩＤＢ内に図６に示すようなビットを含むデータキャリア２が通信局１と通信状態にならなければならないタイムスロットＴは、従って、３番目の４ビット（該特定の例では“１１１０”である）により決まり、その結果として、手続ランの１５番目のタイムスロットにおける関連のデータキャリア２が通信局１と通信接続状態になり、該１５番目のタイムスロットはＴ１４なる符号を有している。これは、１番目のタイムスロットと１６番目のタイムスロットとの間のタイムスロットの番号付けが、図３から分かるように、Ｔ０、Ｔ１、Ｔ２、Ｔ３、…、Ｔ１４、Ｔ１５によりなされているからである。
【００３０】
この時点で図３を参照すると、該図３は通信局１と少なくとも１つのデータキャリア２との間での通信のための本発明による方法を３つのタイミング図の形で示していると言うことができる。ここで、一番下のタイミング図は、本発明による方法の合計の期間ＴＰＷ（全体の手続）、即ち前記登録手続、を示している。中間のタイミング図は、本方法の全体の手続内の３つの手続ランの期間ＴＰＲ１、ＴＰＲ２及びＴＰＲ３を示し、期間ＴＰＲ１は第１の手続ランに対して有効であり、期間ＴＰＲ２は第２の手続ランに対して有効であり、期間ＴＰＲ３は第３の手続ランに対して有効である。
【００３１】
第１のタイミング図からは、第１の手続ランが時点ＴＯＢ’において期間ＴＰＲ１で開始することが分かる。この時点ＴＯＢ’において、第１のリクエストデータブロックＲＤＢ１が通信局１により全てのデータキャリア２に対して出力される。該リクエストデータブロックＲＤＢ１は時点ＴＯＥ’において終了する。このリクエストデータブロックＲＤＢ１の終了後の或る時間遅延ＴＡの後に、第１のタイムウインドウＴ０’が開始する。第２タイムスロットＴ１’が開始するタイムスロットマークＴＳＭが第１タイムウインドウＴ０’の終了時に発生する。更なるタイムスロットマークＴＳＭが、後続のタイムスロットマークＴＳＭにより第１５タイムスロットＴ１４’及び第１６タイムスロットＴ１５’が開始されるのと同様に、第３タイムスロットＴ２’を開始させる如くにして同様の手順が繰り返される。期間ＴＰＲ１の第１手続ラン内の第１６タイムスロットＴ１５’の経過の後、時間遅延期間ＴＢの経過後の時点ＴＯＢ”において第２リクエストデータブロックＲＤＢ２が出力される。該第２リクエストデータブロックＲＤＢ２の終了ＴＯＥ”の後、第１タイムスロットＴＯ”が期間ＴＰＲ２の第２手続ラン内で自動的に発生するまで、時間遅延期間ＴＡが再び経過する。更なるタイムスロットＴ１”、Ｔ２”、…、Ｔ１５”がタイムスロットマークＴＳＭにより再び開始される。上述したのと同様の処理が、期間ＴＰＲ３の第３手続ラン及び更なる手続ランの過程においても生じる。
【００３２】
前述したように、データキャリア２が図２に示されている。該データキャリア２は、データキャリア伝送コイル２６を含むデータキャリア伝送手段２５を有している。該データキャリア伝送手段２５はデータキャリア回路２８の接続端子２７に接続されている。データキャリア回路２８は、本例では、集積回路により形成されている。
【００３３】
データキャリア回路２８は、接続端子２７に接続された４つの手段、特にＤＣ電圧発生手段２９、クロック信号再生手段３０、復調手段３１及び変調手段３２を有している。
【００３４】
ＤＣ電圧発生手段２９は、データ伝送手段２５により受信される信号を用いて電源ＤＣ電圧Ｖを発生するために設けられ、そのように構成されている。この電源電圧Ｖは、機能のために該電源ＤＣ電圧Ｖが必要とされるような当該データキャリア回路２８の全ての構成要素に供給されるが、これらの幾つかは図２では簡略化のために図示されていない。
【００３５】
クロック信号再生手段３０は、クロック信号ＣＬＫを再生するために設けられ、そのように構成されている。該クロック信号生成手段３０も、データ伝送手段２５により受信された信号からクロック信号ＣＬＫを再生する。該データキャリア２の場合、再生されたクロック信号ＣＬＫは復号手段３３及び符号化手段３４、並びにマイクロコンピュータ３５に供給することができる。
【００３６】
復調手段３１は、データ伝送手段２５により受信された変調信号を復調するように作用する。この目的のため、復調手段３１は振幅復調を実行すると共に該復調された信号を復号手段３３に出力するが、該復号手段３３は上記の復調された信号を復号するように構成されている。復号手段は、復号された信号、例えばリクエストデータブロックＲＤＢｎ及びタイムスロットマークＴＳＭも出力する。
【００３７】
変調手段３２は通信局１において発生されるキャリア信号ＣＳの負荷変調のために設けられ、そのように構成されている。キャリア信号ＣＳは、データが通信局１に送信されるべき場合に前記伝送手段１９により無変調形態で各データキャリア２に対して送信され、その場合に、データキャリア伝送手段２５は当該データキャリア２において上記の無変調キャリア信号ＣＳの負荷変調を実施することができるようになる。符号化された信号は、符号化手段３４により変調手段３２に供給することができる。この場合、符号化されていない信号又はデータ、例えば当該データキャリア２の識別データブロックＩＤＢ、又はそれ以外では識別データブロックＩＤＢのうちの通信局１により未だ知られていないブロック領域ＮＫＰ−ＩＤＢ、又は特定の利用データｎｘＵＤＢ、を符号化手段３４に供給することができる。
【００３８】
データキャリア２又はデータキャリア回路２８は上述したマイクロコンピュータ３５を有している。該マイクロコンピュータ３５に代えて、配線された論理回路を設けることもできる。マイクロコンピュータ３５により複数の手段及び機能を満たすことができるが、これらのうちの本状況において重要な手段及び機能のみを、ここでは説明する。同様なことが、回路がマイクロコンピュータにより形成される通信局１についても成り立つ。
【００３９】
マイクロコンピュータ３５は、コマンド検出手段３６、マスク検出手段３７、ブロック検出手段３８、タイムスロット検出手段３９及びデータ処理手段４０を有している。
【００４０】
コマンド検出手段３６はリクエストデータブロックＲＤＢｎに含まれるリクエストコマンドを検出するように作用し、ここで述べる場合の該検出の結果は、登録、即ち各データキャリア２の正確な識別、及び該登録と同時の各データキャリア２から通信局１への特定の利用データｎｘＵＤＢの送信が実行されるということである。従って、リクエストコマンドは、“登録”及び“送信”の同義語を構成する。結果として、リクエストコマンドは、図２においてコマンド検出手段３６の出力端においてなされているように、組合せ符号Ｉ＋Ｔにより簡略的に示すことができる。必要なランを実行するために要するプログラムランは、マイクロコンピュータ３５において該リクエストコマンドＩ＋Ｔにより開始される。
【００４１】
マスク検出手段３７は、リクエストデータブロックＲＤＢｎに含まれるマスクを検出及び評価するように構成されている。検出されたマスクに依存して、該マスク検出手段３７は、識別データブロックＩＤＢのうちの、各マスクにより指定され且つ通信局１により未だ知られていないブロック領域ＮＫＰ−ＩＤＢがデータキャリア２内に又はデータキャリア２のデータキャリア回路２８内に存するメモリ４１から接続部４２を介して読み出されると共に、マイクロコンピュータ３５に入力され、これによりデータ処理手段４０に供給されるようにする効果を有している。
【００４２】
ブロック検出手段３８は、リクエストデータブロックＲＤＢｎに含まれる利用データのアドレス情報ＵＤ−ＡＤＲを検出するように構成されている。リクエストデータブロックＲＤＢに含まれる利用データ開始ブロック及び利用データブロックの数ｎが、該ブロック検出手段３８により検出される。その結果、該ブロック検出手段３８は、Ｎ個の利用データブロックＵＤＢ、即ちＮｘＵＤＢの形で記憶されているような、メモリ４１に記憶された利用データＵＤの中から上記の決定された開始ブロックで始まって合計でｎ個の利用データブロックＵＤＢ、即ちｎｘＵＤＢが特定の利用データとして読み出され、マイクロコンピュータ３５に入力され、且つ該マイクロコンピュータ３５内のデータ処理手段４０に供給されることを保証する。
【００４３】
タイムスロット検出手段３９は各タイムスロットＴを検出するように構成されている。該タイムスロット検出手段３９は、各リクエストデータブロックＲＤＢｎの発生の終了後に経過する期間ＴＡにより、各第１タイムスロットＴ０’又はＴ０”等の始点を検出する。他のタイムスロットＴは、該タイムスロット検出手段３９により、各タイムスロットＴの始点で発生するタイムスロットマークＴＳＭによって検出される。検出されたタイムスロットＴに依存して、タイムスロット検出手段３９はデータ処理手段４０に対してタイムスロットデータＴＳＤを出力し、該データは、遷移現象が崩壊し得る待ち時間を達成する所定の遅れを伴うような各タイムスロットＴを特徴付ける。加えて、上記マスク検出手段３７から各々の検出されたマスクを介してタイムスロット検出手段３９に情報項目ＭＩが供給される。マスク検出手段３７からタイムスロット検出手段３９へ各々の検出されたマスクを介して供給される情報ＭＩの関数として、タイムスロット検出手段３９は、その都度、接続部４２を介して識別データブロックＩＤＢから、各マスクの前に位置すると共に当該データキャリア２が通信局１と通信接続状態に入らなければならないタイムスロットを決定するような４ビットを読み出す。タイムスロット検出手段３９が、当該データキャリア２が通信局１と通信接続状態に入らなければならないタイムスロットの活性化を達成するやいなや、タイムスロット検出手段３９はデータ処理手段４０に対して上記の遅延を伴って関連するタイムスロットデータＴＳＤを出力する。その結果、データ処理手段４０にバッファされているデータ、即ち識別データブロックＩＤＢのうちの該データ処理手段４０にバッファされていると共に通信局１により未だ知られていない部分ＮＫＰ−ＩＤＢ及び特定の利用データブロックｎｘＵＤＢがデータ処理手段４０から読み出され、符号化手段３４へ中継される。その結果、後の段階で変調手段３２により変調され、通信局１へ送信される。
【００４４】
図１の通信局１及び図２のデータキャリア２においては、構成は有利には、通信局１とデータキャリア２の間で通信する本発明による方法の場合に、登録手続の実施の間において識別データブロックＩＤＢのうちの通信局１により未だ知られていないブロック領域ＮＫＰ−ＩＤＢ、及び同時に特定の利用データｎｘＵＤＢのみがデータキャリア２から通信局１へ送信されるように選定される。言い換えれば、本発明による方法においては、データキャリア２の識別データブロックＩＤＢのうちの、通信局１において既に分かっている部分は、最早、関連のデータキャリア２から通信局１へは送信されず、斯かる部分は全く必要とはされない。何故なら、これは、何れにせよ通信局１において既に利用可能な冗長な情報に関するものであるからである。更に、本発明による方法は、登録手続を実行する過程で識別データブロックＩＤＢの部分が送信されるのみならず、該登録手続の間に通信局１により所望される及び／又は必要とされる特定の利用データｎｘＵＤＢも同時に送信される点で特徴があり、その結果、全体として見て、充分である全通信期間は既知の方法と較べて短くなる。上述した利点を理解し易くするため、本発明の方法を図７及び図８を参照する例に基づき以下に説明する。
【００４５】
図７の上部においては、合計で７個のデータキャリア（ＤＣ）２が通信局１の通信範囲内に位置されていると仮定している。この場合、更に、これら７個のデータキャリア（ＤＣ）２は特に次に掲げるような識別データブロックＩＤＢを含んでいると仮定する：
2004519933.tif 000003
各々が合計で６４ビットからなる上記識別データブロックＩＤＢのデータは、１６進の形態又は表記で示されている。
【００４６】
上に掲げた識別データブロックＩＤＢは１６進表記で示すことができるが、下記のように省略形で示すこともできる：
2004519933.tif 000004
【００４７】
登録手続が実行される本通信方法の開始時において、通信局１により第１リクエストデータブロックＲＤＢ１が発生され、７個の全データキャリア（ＤＣ）２へ出力される。該第１リクエストデータブロックＲＤＢ１は、リクエストコマンド及び利用データドレス情報も含むが、これらは図７には示されていない。しかしながら、図７では、該第１リクエストデータブロックＲＤＢ１がマスクサイズ＝０及びマスク値無しのマスクを含んでいることが示されている。このマスクはマスク発生手段２４により決定される。この場合、上記７つのデータキャリア（ＤＣ）２の各々が当該通信局１と通信しなければならないタイムスロットＴは、当該データキャリアの識別データブロックＩＤＢの最初の４ビット、従って該データキャリアの一連番号により与えられる。即ち、本例では、タイムスロットＴは１６進表記で＠＝７及び＠＝２により決定される。結果的に、通信局１との通信は、期間ＴＰＲ１の第１手続ランにおいては＠＝７及び＠＝２により決まるタイムスロットにおいて発生する。＠＝２により与えられるタイムスロットにおいては、上記７個のデータキャリア（ＤＣ）２のうちの合計で６個が通信局１と通信し、識別データブロックＩＤＢ＝０…０２８４２を持つデータキャリア（ＤＣ）２はデータ０…０２８４＋ｎｘＵＤＢを通信局１へ送信する。同様にして、識別データブロックＩＤＢ＝０…０２８３２を持つデータキャリア（ＤＣ）２はデータ０…０２８３＋ｎｘＵＤＢを通信局１へ送信する。同様にして、識別データブロックＩＤＢ＝０…０９５３２を持つデータキャリア（ＤＣ）２はデータ０…０９５３＋ｎｘＵＤＢを通信局１へ送信する。同様にして、識別データブロックＩＤＢ＝０…０１５３２を持つデータキャリア（ＤＣ）２はデータ０…０１５３＋ｎｘＵＤＢを通信局１へ送信する。同様にして、識別データブロックＩＤＢ＝０…０４９Ａ２を持つデータキャリア（ＤＣ）２はデータ０…０４９Ａ＋ｎｘＵＤＢを通信局１へ送信する。同様にして、識別データブロックＩＤＢ＝０…０６８Ａ２を持つデータキャリア（ＤＣ）２はデータ０…０６８Ａ＋ｎｘＵＤＢを通信局１へ送信する。＠＝２により与えられる該タイムスロットにおいては衝突が起こることになり、結果として、衝突検出手段８が該衝突を検出して、制御情報項目ＮＰＲがリクエスト発生手段６へ出力されるようにする。これにより、第２の手続ランが、特に期間ＴＰＲ１の第１手続ランの終了後に開始される。
【００４８】
ここで、識別データブロックＩＤＢ又は識別データブロックＩＤＢの部分ＮＫＰ−ＩＤＢは、最下位ビットＬＳＢから開始して、データキャリア２から通信局１へ常に送信されると言うことができる。
【００４９】
上記期間ＴＰＲ１の第１手続ランの間においては、＠＝７により与えられるタイムスロットの間に、識別データブロックＩＤＢ＝０…０１８３７を持つデータキャリア（ＤＣ）２から通信局１へデータが送信され、このデータ送信の場合において衝突は発生しない。識別データブロックＩＤＢ＝０…０１８３７を持つデータキャリア（ＤＣ）２から通信局１への該データ送信の場合、データ０…０１８３＋ｎｘＵＤＢが通信局１へ送信され、その後、このデータキャリア（ＤＣ）２は該データの補助により登録される。理解されるように、識別データブロックＩＤＢ＝０…０１８３７を持つデータキャリア（ＤＣ）２の全識別データブロックＩＤＢ＝０…０１８３７のうちの、通信局１により未だ知られていない一部ＮＫＰ−ＩＤＢ＝０…０１８３のみが通信局１に送信され、該識別データブロックＩＤＢ＝０…０１８３７のうちの部分“７”は、最早、通信局１へは送信されない。これは、次の理由により必要とはされない。即ち、タイムスロットＴのタイムスロットの順番は通信局１において決定され、従って、通信局１においては識別データブロックＩＤＢ＝０…０１８３７を持つデータキャリア（ＤＣ）２のみが＠＝７により決まるタイムスロットにおいて応答することができたことが分かる。従って、タイムスロットを決定する組合せは、識別データブロックＩＤＢの対応する部分を＠＝７により与えられる４ビットにおいて形成しなければならず、これは、上述した場合には、識別データブロックＩＤＢ＝０…０１８３７の最下位半バイト（ニブル）、即ち＠＝７であることを意味する。
【００５０】
＠＝２により与えられるタイムスロットにおいて通信局１へデータを送信した（前述した）データキャリア（ＤＣ）２も、これらデータキャリアの識別データブロックＩＤＢの最下位半バイト（ニブル）を通信局１へは送信していない。
【００５１】
続いて、期間ＴＰＲ２の第２手続ランが開始され、予め既知の方法で、この期間ＴＰＲ２の第２手続ランには識別データブロックＩＤＢ＝０…０１８３７は、最早、参加することができないものとされる。この結果として、該期間ＴＰＲ２の第２手続ランには６個のデータキャリア（ＤＣ）２のみが依然として参加することになる。
【００５２】
期間ＴＰＲ２の第２手続ランは、第２リクエストデータブロックＲＤＢ２により開始される。ここでも、この第２リクエストデータブロックＲＤＢ２にはリクエストコマンド及び利用データドレス情報が含まれるが、これについては図７には更なる詳細は示されない。該第２リクエストデータブロックＲＤＢ２にはマスクが含まれ、該マスクのマスクサイズは４ビットであり、マスク値は１６進表記で“２”に等しい。該マスク値“２”は前記値＠＝２の結果であり、マスクサイズと同様にマスク発生手段２４により指定される。この場合、依然として残存すると共に登録されるべき上記６個のデータキャリア（ＤＣ）２が通信局１と通信しなければならないタイムスロットは、各々、これらデータキャリアの識別データブロックＩＤＢの第２の４ビットにより決定される。ここで与えられた例においては、このことは、タイムスロットＴが１６進表記で＠＝３及び＠＝４及び＠＝Ａにより決まることを意味する。
【００５３】
＠＝４により与えられるタイムスロットにおいては衝突は発生せず、その結果、識別データブロックＩＤＢ＝０…０２８４２を持つデータキャリア（ＤＣ）２がデータ０…０２８＋ｎｘＵＤＢを通信局１に送信し、これらデータに基づいて該データキャリアが通信局１に登録される。理解されるように、識別データブロックＩＤＢ＝０…０２８４２のデータキャリア２は、該担体の識別データブロックＩＤＢ＝０…０２８４２のうちの、通信局１により未だ知られていない部分ＮＫＰ−ＩＤＢ＝０…０２８のみを通信局１へ送信する。従って、該データキャリアの識別データブロックＩＤＢ＝０…０２８４２のうちの部分“４２”は通信局１へは送信する必要がない。何故なら、期間ＴＰＲ１で先に実行された手続ランから、識別データブロックＩＤＢ＝０…０２８４２のデータキャリア（ＤＣ）２が＠＝２により指定されるタイムスロットにおいて通信し、該識別データブロックＩＤＢ＝０…０２８４２のデータキャリア（ＤＣ）２が期間ＴＰＲ２で経過した当該手続ランにおいて＠＝４により指定されるタイムスロットにおいて応答したことが、通信局１において既に分かっているからである。言い換えると、このことは、当該データキャリアの識別データブロックＩＤＢ＝０…０２８４２の最下位側の２つの半バイト（ニブル）が１６進表記で“４２”のみであり得ることを意味する。従って、これらの２つの最下位側の半バイト（ニブル）は通信局１に送信される必要はない。
【００５４】
期間ＴＰＲ２の第２手続ランの間においては、＠＝３及び＠＝Ａにより与えられるタイムスロットの各々において或る衝突が発生する。これは、識別データブロックＩＤＢ＝０…０２８３２、ＩＤＢ＝０…０９５３２及びＩＤＢ＝０…０１５３２を持つ３つのデータキャリア（ＤＣ）２が＠＝３により指定されたタイムスロットにおいて同時に通信し、識別データブロックＩＤＢ＝０…０４９Ａ２及びＩＤＢ＝０…０６８Ａ２を持つ２つのデータキャリア（ＤＣ）２が＠＝Ａにより指定されたタイムスロットにおいて同時に通信するからである。図７から分かるように、各々が１つの衝突に加わる５つのデータキャリア２の通信の場合、これらデータキャリア２も、同様に、これらデータキャリアの識別データブロックＩＤＢのうちの、通信局１により未だ知られていない部分ＮＫＰ−ＩＤＢ、即ち部分０…０２８、０…０９５、０…０１５、０…０４９及び０…０６８のみを通信局１へ送信する。
【００５５】
＠＝３及び＠＝Ａにより決まるタイムスロットにおける衝突の発生は、通信局１において衝突検出手段８により検出され、その結果として、特に該衝突検出手段８が情報ＮＰＲの関連する項目をリクエスト発生手段６に出力することにより、更なる手続ランが起動される。図８の上部からわかるように、この結果、期間ＴＰＲ３の第３手続ランが開始される。
【００５６】
第３リクエストデータブロックＲＤＢ３（該データブロックのリクエストコマンド及び利用データドレス情報は図８においては検討されない）が、期間ＴＰＲ３の第３手続ランの開始時点で発生される。この第３リクエストデータブロックＲＤＢ３はマスクを含み、該マスクのマスクサイズは８ビットであり、マスク値は１６進で“３２”である。このマスク値“３２”は２つの値＠＝２及び＠＝３の結果であり、上記マスクサイズと同様にマスク発生手段２４により指定される。この場合、期間ＴＰＲ３の第３手続ランに加わる３つのデータキャリア（ＤＣ）２が通信局１と通信しなければならないタイムスロットは、これら担体の識別データブロックＩＤＢの第３の４ビットにより決まり、即ち１６進で＠＝８及び＠＝５により与えられるタイムスロットとなる。
【００５７】
＠＝８により与えられるタイムスロットにおいては、識別データブロックＩＤＢ＝０…０２８３２のデータキャリア（ＤＣ）２のみが通信局１と通信する。従って、衝突は発生せず、このデータキャリア（ＤＣ）２は通信局１により未だ知られていないデータＮＫＰ−ＩＤＢ＝０…０２＋ｎｘＵＤＢのみを通信局１に通知し、このデータに基づいて登録される。この場合、識別データブロックＩＤＢ＝０…０２８３２のうちの通信局１により既に分かっている部分ＫＰ−ＩＤＢ＝８３２は保管されるが、これは次の理由により可能である。即ち、通信局１においては、識別データブロックＩＤＢ＝０…０２８３２を持つデータキャリア（ＤＣ）２が期間ＴＰＲ１の第１手続ランにおける＠＝２により与えられるタイムスロットにおいて、期間ＴＰＲ２の第２手続ランにおける＠＝３により与えられるタイムスロットにおいて、及び現在期間ＴＰＲ３で進行中の第３手続ランにおける＠＝８により与えられるタイムスロットにおいて通信したことが分かるからである。
【００５８】
期間ＴＰＲ３の第３手続ランにおいては、＠＝５により決まるタイムスロットにおいて再び衝突が発生し、これが衝突検出手段８により検出され、結果として、期間ＴＰＲ４の第４手続ランとなる。
【００５９】
第４リクエストデータブロックＲＤＢ４は、期間ＴＰＲ４の第４手続ランの開始時点で発生される。この第４リクエストデータブロックＲＤＢ４はマスクを含み、該マスクのマスクサイズは１２ビットであり、マスク値は１６進形態で“５３２”である。このマスク値“５３２”は、識別データブロックＩＤＢ＝０…０９５３２及びＩＤＢ＝０…０１５３２を持つ２つのデータキャリア（ＤＣ）２が先に通信局１と通信したが、その都度、衝突により成功しなかったタイムスロットにおける値＠＝２、＠＝３及び＠＝５の結果である。この場合、期間ＴＰＲ４の第４手続ランに参加する２つのデータキャリア（ＤＣ）２が通信局１と通信しなければならないタイムスロットは、これらデータキャリアの識別データブロックＩＤＢの第４の４ビットにより、即ち１６進表記で＠＝９及び＠＝１により与えられる。
【００６０】
この場合、＠＝１により与えられるタイムスロット及び＠＝９により与えられるタイムスロットの両方において衝突は発生しない。この場合、識別データブロックＩＤＢ＝０…０１５３２を持つデータキャリア（ＤＣ）２は、識別データブロックＩＤＢのうちの、通信局１において未だ知られていない部分ＮＫＰ−ＩＤＢ＝０…０及び特定の利用データｎｘＵＤＢのみを通信局へ通知すると共に、登録のために使用する。同様に、識別データブロックＩＤＢ＝０…０９５３２を持つデータキャリア（ＤＣ）２は、最早部分“９５３２”は通信局１へ通知することはなく、該識別データブロックＩＤＢ＝０…０９５３２の先行する部分ＮＫＰ−ＩＤＢ＝０…０及び特定の利用データブロックｎｘＵＤＢのみを通知する。これで、期間ＴＰＲ４の第４手続ランが完了する。
【００６１】
しかしながら、通信局１においては、特に期間ＴＰＲ２の第２手続ランから、該期間ＴＰＲ２の第２手続ランの間に＠＝Ａにより指定されたタイムスロットにおいて衝突が起きたことが既に分かっている。従って、更なる手続、即ち期間ＴＰＲ５の第５手続ラン、が開始される。この第５手続ランの開始時おいて、第５リクエストデータブロックＲＤＢ５が通信局１により発生され、出力される。該第５リクエストデータブロックＲＤＢ５はマスクを含み、該マスクは８ビットのマスクサイズ及び１６進表記で“Ａ２”なるマスク値を有している。該マスク値“Ａ２”は値＠＝２及び＠＝Ａにより与えられ、これらは期間ＴＰＲ１の第１手続ラン及び期間ＴＰＲ２の第２手続ランにおいて衝突が各々発生したタイムスロットに対応している。該マスク値“Ａ２”及びマスクサイズは、マスク発生手段２４により指定される。この場合、識別データブロックＩＤＢ＝０…０４９Ａ２及びＩＤＢ＝０…０６８Ａ２を持ち、未だ登録されていない２つのデータキャリア（ＤＣ）２が通信局１と通信しなければならないタイムスロットは、１６進で値＠＝９及び＠＝８により与えられる。期間ＴＰＲ５の該第５手続ランにおいては、値＠＝８により与えられるタイムスロット及び値＠＝９により与えられるタイムスロットの何れにおいても、衝突は発生しない。結果的に、識別データブロックＩＤＢ＝０…０６８Ａ２のデータキャリア（ＤＣ）２は通信局１に対して、該データキャリアの識別データブロックＩＤＢ＝０…０６８Ａ２の部分ＮＫＰ−ＩＤＢ＝８Ａ２の前に位置する部分ＮＫＰ−ＩＤＢ＝０…０６及び特定の利用データブロックｎｘＵＤＢのみを通知する。同様にして、識別データブロックＩＤＢ＝０…０４９Ａ２のデータキャリア（ＤＣ）２は通信局１に対して、該データキャリアの識別データブロックＩＤＢ＝０…０４９Ａ２の部分ＮＫＰ−ＩＤＢ＝９Ａ２の前に位置する部分ＮＫＰ−ＩＤＢ＝０…０４及び特定の利用データブロックｎｘＵＤＢのみを通知し、かくして通信局１は最後の２つのデータキャリア（ＤＣ）２を登録することができる。
【００６２】
上述した方法においては、７個の全てのデータキャリア（ＤＣ）２が、合計で７つの手続ランの後に明確に識別される形で登録される。この登録に関して付け加えるのに唯一残っていることは、上記７つの参加したデータキャリア（ＤＣ）２の識別データブロックＩＤＢの各々の未知の部分ＮＫＰ−ＩＤＢが識別データブロック再生手段９へ供給され、該識別データブロック再生手段９には、これら識別データブロックＩＤＢのうちの当該通信局１により既に分かっている部分ＫＰ−ＩＤＢがリクエスト発生手段６及びマスク発生手段２４により更に供給され、これにより、識別データブロック再生手段９は登録された各データキャリア（ＤＣ）２の全体の識別データブロックＩＤＢを確かに再生することである。データキャリア（ＤＣ）２の全体の識別データブロックＩＤＢの再生が完了した後、該再生された識別データブロックＩＤＢは合成手段１１に供給され、その際において、データキャリア（ＤＣ）２の該再生された識別データブロックＩＤＢは、当該合成手段１１において、該データキャリア（ＤＣ）２から読み出された特定の利用データｎｘＵＤＢと合成される。この合成の後、上記の再生された識別データブロックＩＤＢ及び該識別データブロックＩＤＢの利用データｎｘＵＤＢは記憶される。
【００６３】
上述した説明から分かるように、上記方法においては、各データキャリア（ＤＣ）２は、当該データキャリアの識別データブロックＩＤＢのうちのどの部分ＮＫＰ−ＩＤＢが通信局１において未だ分かっていないか、及び当該データキャリア（ＤＣ）２の識別データブロックＩＤＢのうちのどの部分ＮＫＰ−ＩＤＢが通信局１に送信されねばならないかについての情報を利用可能にする必要がある。上述した例では、このことは、通信局１から各データキャリア（ＤＣ）２に送信されるマスクを利用して、データ伝送が生じたタイムスロットＴに関する知識を利用して、及びタイムスロットＴにおいて衝突が生じたか否かの事実を利用してなされる。この点では、この手続のモードは幾つかの可能性のうちの１つのみを構成するものであり、他の手続のモードも可能であると言うことができる。例えば、各データキャリア（ＤＣ）２は、永久的に規定された伝送プロトコルの枠内で当該データキャリアの識別データブロックＩＤＢのどの部分ＮＫＰ−ＩＤＢが未だ通信局１において分かっていないかについての情報を受信することもできる。所要の情報は通信プロトコルにより指定された配置に従って自動的に利用可能にされることもでき、その場合、通信局１からデータキャリア（ＤＣ）２にマスクを送る必要はなくなる。
【００６４】
上述した方法の場合、各データキャリア（ＤＣ）２から通信局１へ送信される特定の利用データｎｘＵＤＢは、各リクエストデータブロックＲＤＢが、本例の場合利用データ開始ブロックの指定及び利用データブロックの特定の数ｎの指定により与えられるようなリクエスト情報項目を含むようにして指定される。しかしながら、通信局１によっては利用データの要求はなされず、データキャリア（ＤＣ）２に記憶された全ての利用データ又は利用データブロックＵＤＢの特定の選択が自動的に各データキャリア（ＤＣ）２から通信局１へ送信されるような構成を選択することもできる。
【００６５】
図７及び図８を参照した本方法の説明においては、特定の利用データのｎｘＵＤＢのみが常に参照されているが、これは全てのデータキャリア（ＤＣ）２が同一の利用データを通信局１へ送信することを意味するものではない。
【００６６】
上述した方法においては、データキャリア（ＤＣ）２の識別データブロックＩＤＢのうちの通信局１により未だ知られていない部分ＮＫＰ−ＩＤＢは、本例においては常に、要求された利用データと共に送信される。しかしながら、これは必ずしも必要ではない。何故なら、上述した方法の変形例においては、識別データブロックＩＤＢにおける上記未知の部分ＮＫＰ−ＩＤＢのデータキャリア（ＤＣ）２から通信局１への送信の後に、短い待ち時間を設けることも可能であり、該待ち時間は、データキャリア（ＤＣ）２の識別データブロックＩＤＢにおける上記未知の部分ＮＫＰ−ＩＤＢの送信の間に衝突が生じた場合に、要求された又は自動的に指定された利用データの後続の送信を抑圧するために設けられる。
【００６７】
本発明による方法においては、各手続ランの間において、通信局１に対してデータキャリア（ＤＣ）２の識別データブロックＩＤＢのうちの該通信局１により未だ知られていない部分ＮＫＰ−ＩＤＢを送信するのみならず、常に全体の識別データブロックＩＤＢを送信することも可能であり、その場合においてさえも、結果としてデータキャリア（ＤＣ）２の識別データブロックＩＤＢ及び関連する特定の利用データｎｘＵＤＢが１つの送信動作内で関連のデータキャリア（ＤＣ）２から通信局１へ送信されるという大きな利点が得られる。
【００６８】
上述した方法においては、データキャリア（ＤＣ）２の識別データブロックＩＤＢにおける未知の全ブロック領域ＮＫＰ−ＩＤＢ、即ちデータキャリア（ＤＣ）２の識別データブロックＩＤＢにおける未知の全部分ＮＫＰ−ＩＤＢが、常に当該データキャリア（ＤＣ）２から通信局１へ送信される。ここで、このことは絶対に必要ということではないことを明記しておく。本発明による方法においては、通信局に送信されるものが、データキャリア（ＤＣ）２の識別データブロックＩＤＢにおける全体の且つ未知の部分ＮＫＰ−ＩＤＢではなく、識別データブロックＩＤＢにおける全体の未知の部分ＮＫＰ−ＩＤＢの一部のみとなるように実施することも可能である。これは、例えば次の様な場合に不利益無しで可能となる。例えば、識別データブロックＩＤＢに、当該データキャリア（ＤＣ）２の特定の用途には全く必要がないが、それにも拘わらず他の用途に有効又は絶対に必要である故に当該データキャリア（ＤＣ）２に記憶されているような特別なデータが含まれており、上記識別データブロックＩＤＢの該特別なデータに関しては通信局１への送信を省略することができる場合である。しかしながら、本発明による方法においては、データキャリア（ＤＣ）２の識別データブロックＩＤＢにおける全体の且つ未知の部分ＮＫＰ−ＩＤＢの一部のみを通信局１に送信することが可能である。何故なら、この方法においては、狙いは主に特別に短い全通信時間を達成することであり、斯かる狙いは確かに固有の識別及び／登録に関する安全性を悪化させるが、このことは多くの用途においては充分に許容することができるからである。
【００６９】
上述した方法において実施される所謂タイムスロットについて言及することが残っている。斯様なタイムスロットモードは、しばしば、時間ダイバーシティモードとも呼ばれる。斯様な時間ダイバーシティモードの代わりに、周波数ダイバーシティモード又はコードダイバーシティモードも適用することができることを明記しておく。その場合、前者では複数のデータキャリア（ＤＣ）２と通信局１との間の通信が、異なるキャリア周波数に基づいて複数のデータキャリア（ＤＣ）２に分散される目的で実行され、後者では複数のデータキャリア（ＤＣ）２と通信局１との間の通信が、異なる符号化形態に基づいて実行される。
【００７０】
また、前記タイムウインドウはデータ伝送要件とは独立した期間を有することができ、この結果は、タイムウインドウ内で全くデータが伝送されない場合は、このタイムウインドウは非常に短い検出期間の後に遅延無しで終了される。
【図面の簡単な説明】
【図１】
図１は、本発明の一実施例による通信局及び局回路の、当該関連において必須の、一部の概略ブロック図である。
【図２】
図２は、本発明の一実施例によるデータキャリア及びデータキャリア回路の、当該関連において必須の、一部のブロック図である。
【図３】
図３は、本発明による方法の場合において発生する信号、時点及び時間間隔のタイムチャートである。
【図４】
図４は、本発明による方法において使用されるリクエストデータブロックの構成を示す図である。
【図５】
図５は、本発明によるデータキャリアに記憶される識別データブロックを示す図である。
【図６】
図６は、本発明による方法において発生し得るようなマスクの一例を表す図である。
【図７】
図７は、本発明による方法のシーケンスの一部を概略示し、７つのデータキャリアの登録が実行されている。
【図８】
図８も、本発明による方法のシーケンスの一部を概略示し、７つのデータキャリアの登録が実行されている。
【図３】
2004519933.tif 000005
【図４】
2004519933.tif 000006
【図５】
2004519933.tif 000007
【図６】
2004519933.tif 000008
【図７】
2004519933.tif 000009
【図８】
2004519933.tif 000010
【国際公開パンフレット】
2004519933.tif 000011
2004519933.tif 000012
2004519933.tif 000013
2004519933.tif 000014
2004519933.tif 000015
2004519933.tif 000016
2004519933.tif 000017
2004519933.tif 000018
2004519933.tif 000019
2004519933.tif 000020
2004519933.tif 000021
2004519933.tif 000022
2004519933.tif 000023
2004519933.tif 000024
2004519933.tif 000025
2004519933.tif 000026
2004519933.tif 000027
2004519933.tif 000028
2004519933.tif 000029
2004519933.tif 000030
2004519933.tif 000031
2004519933.tif 000032
2004519933.tif 000033
2004519933.tif 000034
2004519933.tif 000035
2004519933.tif 000036
2004519933.tif 000037
2004519933.tif 000038
2004519933.tif 000039
2004519933.tif 000040
2004519933.tif 000041
2004519933.tif 000042
2004519933.tif 000043
2004519933.tif 000044
2004519933.tif 000045
2004519933.tif 000046
【国際調査報告】
2004519933.tif 000047
2004519933.tif 000048